(57)【要約】  【課題】建物の外壁パネル間の目地材及び目地構造であって、耐火性能を有し施工容易に建物の外壁パネル間に挿入できる耐火性を有する目地材及び建物の外壁の耐火目地構造を提供することを課題とする。【解決手段】建物の外壁のパネルが外壁面材と外壁面材下地材とフレームとからなり、外壁面材下地材の鉛直方向の小口端部は外壁面材の鉛直方向の小口端部より外壁面材中央部側に段差を設けてフレームに固定され、鋼製の目地材は凸状に折り曲げられた鋼板からなり、鋼製の目地材の室内側空隙部に充填材が配設された外壁目地構造により解決される。【選択図】    図１
2008179960.tif 000002
【特許請求の範囲】
【請求項１】
建物の外壁パネル間に挿設される外壁パネル目地材であって、鋼製の目地材と該目地材の室内側に配設される充填材とからなることを特徴とする耐火性を有する外壁パネル目地材。
【請求項２】
前記建物の外壁パネルが外壁面材と外壁面材下地材とフレームとからなり、外壁面材下地材はその鉛直方向の小口端部を外壁面材の鉛直方向の小口端部より外壁面材中央部側に段差を設けてフレームに固定され、前記鋼製の目地材は凸状に折り曲げられた鋼板からなり、該鋼製の目地材の室内側空隙部に充填材が配設された請求項１に記載する耐火性を有する外壁パネル目地材。
【請求項３】
充填材として準不燃材以上の部材が用いられている請求項１もしくは請求項２に記載の耐火性を有する外壁パネル目地材。
【請求項４】
請求項１乃至請求項３に記載の耐火性を有する外壁パネル目地材を用いた外壁の耐火目地構造。
【発明の詳細な説明】
【技術分野】
【０００１】
本発明は、建物の外壁パネル間に挿入する耐火性を有する外壁パネル目地材及び建物の外壁の耐火目地構造に関する。
【背景技術】
【０００２】
従来、外壁パネルの目地部には図４（イ）、（ロ）に示すように湿式シーリングもしくは乾式ガスケットが用いられる。
【０００３】
また、外壁パネルの目地部の耐火性能の向上を目的として、図４（ハ）に示すように耐火目地充填材や鋼板を目地底に配設したものが提案されている。
【０００４】
【特許文献１】特開２００２−３２７５０４号公報
【特許文献２】特開２００２−２０１７３４号公報
【発明の開示】
【発明が解決しようとする課題】
【０００５】
しかし、湿式シーリングや乾式ガスケットは火に対して弱く、目地部が耐火性能上の弱点となっている。
【０００６】
また、湿式シーリングや乾式ガスケットの施工は、建物の外部に足場を設置して行うため、足場の設置が必要となり、さらに隣家と近接しているなど狭小地では足場の設置箇所が問題となる。
【０００７】
また、耐火材を目地底に配設した構造や目地材に薄い鋼板を用いた構造は、施工性に問題があったり、薄い鋼板であるが故に外壁に取り付けた際に十分に固定されず、風が吹くとカタカタと音がなってしまうという問題があった。
【０００８】
本発明は、建物の外壁パネル間の目地材及び目地構造であって、耐火性能を有し施工容易に建物の外壁パネル間に挿入できる耐火性を有する目地材及び建物の外壁の耐火目地構造を提供することを課題とする。
【課題を解決するための手段】
【０００９】
上記の課題は、建物の外壁パネル間に挿設される外壁パネル目地材であって、鋼製の目地材と該目地材の室内側に配設される充填材とからなることを特徴とする耐火性を有する外壁パネル目地材及び外壁パネル目地材を用いた外壁の耐火目地構造により解決される。
【００１０】
この耐火性を有する外壁パネルの目地材及び目地構造によれば、鋼製の目地材と該目地材の室内側に配設される充填材とが組み合わされることで、目地部の耐火性能が向上するだけでなく、薄い鋼板による目地材と異なり、風が吹くと目地材がカタカタと音がなってしまうこともない。
【００１１】
また、上記の課題は、建物の外壁パネルが外壁面材と外壁面材下地材とフレームとからなり、外壁面材下地材はその鉛直方向の小口端部を外壁面材の鉛直方向の小口端部より外壁面材中央部側に段差を設けてフレームに固定され、前記鋼製の目地材は凸状に折り曲げられた鋼板からなり、該鋼製の目地材の室内側空隙部に充填材が配設された耐火性を有する外壁パネル目地材及び外壁パネル目地材を用いた外壁の耐火目地構造によっても解決される。
【００１２】
この耐火性を有する外壁パネルの目地材及び目地構造でも、鋼製の目地材と該目地材の室内側に配設される充填材とが組み合わされることで、目地部の耐火性能が向上するだけでなく、薄い鋼板による目地材と異なり、風が吹くと目地材がカタカタと音がなってしまうこともない。また、この目地材は外壁パネル間の目地部の上部から落とし込める形状であるため、建物内部からの施工が可能で、目地材の施工のために建物の周囲に足場を設置する必要もなく、目地材の施工を無足場で実施することができる。
【００１３】
さらに、外壁パネルの目地材及び目地構造において、充填材として準不燃材以上の部材が用いられているとよい。
【００１４】
鋼製の目地材の室内側に配設される充填材として、準不燃材以上のものが用いられている場合、目地部の耐火性能をより向上させることができる。
【発明の効果】
【００１５】
本発明は以上のとおりであるから、耐火性能を有し施工容易に建物の外壁パネル間に挿入できる耐火性を有する目地材及び建物の外壁の耐火目地構造を提供することができる。
【発明を実施するための最良の形態】
【００１６】
次に、本発明の実施最良形態を図面に基づいて説明する。
【００１７】
図１に示す外壁パネル２，２の耐火目地構造１において、３は外壁面材、４は外壁面材下地材、５は外壁面材下地断熱材、６はフレーム、７，８は内装下地材、９は内装材としてのせっこうボード、１０，１１，１２は断熱材である。
【００１８】
外壁パネル２，２は、窯業系、コンクリート系などの外壁面材１とその背面側に設けられた外壁面材下地材４とさらにその背面側に設けられた外壁面材下地断熱材５がフレーム６にビスで一体化して固定されている。外壁面材下地材４の鉛直方向の小口端部は外壁面材３の鉛直方向の小口端部より、外壁面材中央部側に段差を設けてフレームに固定されている。
【００１９】
本発明の実施形態である耐火目地構造１は、隣り合う外壁パネル２，２の間隙に外壁パネル目地材１３が挿設されて構成される。図２に示すように、外壁パネル目地材１３は断面視凸型に折り曲げられた鋼板１４と鋼板により形成された空隙部に充填された準不燃材以上からなる充填材１５とからなる。充填材は例えば火山性ガラス質複層板からなる。
【００２０】
凸型の外壁目地材１３は、突起部１４ａが外壁目地部の外壁面材３，３間、ベース部１４ｂが外壁面材下地材４，４間にそれぞれ嵌りあうように挿設され、目地部を構成する。
【００２１】
外壁目地材１３の断面形状は、外壁パネル２，２の間に形成される空隙にぴったりと嵌りあう形状となっているため、外壁目地部に外壁目地材１３を挿設すると外壁目地材１３ががたつくことなくぴったりと納まり、建物に風が吹いた場合でも、外壁目地材１３が風によりがたつくことなくぴったりと納まり、風が吹くとカタカタと音がなってしまうことがない。
【００２２】
また、外壁目地材１３の空隙部には充填材１５が充填されているため、この充填材が外壁パネル２，２に対して反力となり、より一層外壁目地材１３の安定性が増し、風が吹いてもカタカタと音がなってしまうことがない。
【００２３】
さらに、鋼製の目地材と目地材の室内側に配設される充填材とが組み合わされることで、目地部の耐火性能が向上する
【００２４】
次に、外壁目地部への外壁目地材１３の施工方法について説明する。
【００２５】
図３に示すように、外壁パネル２，２を建て込んだ後、外壁パネル２，２間に形成された目地部に外壁パネルの上端より外壁目地材１３を長手方向に沿って挿入していく。外壁目地材１３の断面形状は外壁パネル２，２間により形成される目地部にあう形状となっているため、上部から容易に挿入していくことができる。
【００２６】
外壁目地材１３を施工する者は、外壁パネル２，２の上端から外壁目地材１３を挿入していくことになるが、施工者は建物の外壁周囲に設置された足場からの施工だけでなく、建物内部に設けた足場からの施工も行うことができる。つまり、外壁の目地部の全長に対して目地部の前面部から施工する必要がなく、外壁パネルの上端部からの挿入だけで、外壁目地材１３の施工が完了するため、外壁の周囲に足場を設ける必要性はなく、室内側に設置した足場からの施工で完了する。そのため、外部足場の設置が必要なく、隣地と近接しているなど狭小地で外部足場の設置が困難な建設現場においても、外壁目地材の施工を容易に行うことができる。
【００２７】
以上に、本発明の実施形態を示したが、本発明はこれに限られるものではなく、発明思想を逸脱しない範囲で各種の変更が可能である。例えば、上記の実施形態では、外壁目地材の形状として凸型の場合について示したが、外壁目地材の形状は凸型に限られるわけではなく、外壁パネルの小口の形状にあわせて様々な形状が可能である。
【００２８】
また、上記実施形態では、準不燃材以上からなる充填材として、火山性ガラス質複層板の場合を示したが、この他、繊維補強セメント板、繊維補強セメント珪酸カルシウム板、繊維混入珪酸カルシウム板、ロックウール板、グラスウール板、マグネシウム板など準不燃材以上の耐火性能を有する部材であればよい。
【図面の簡単な説明】
【００２９】
【図１】本発明の実施形態である外壁の耐火目地構造を示す断面図である。
【図２】（イ）は外壁パネル目地材の斜視図、（ロ）はその分解斜視図である。
【図３】外壁パネル目地材の施工方法を示す斜視図である。
【図４】（イ）〜（ロ）はそれぞれ従来技術を示す断面図である。
【符号の説明】
【００３０】
１・・・外壁の耐火目地構造
２・・・外壁パネル
３・・・外壁面材
４，５・・・外壁下地材
６・・・フレーム
１３・・・外壁パネル目地材
１４・・・鋼板
１５・・・充填材
【図１】
2008179960.tif 000003
【図２】
2008179960.tif 000004
【図３】
2008179960.tif 000005
【図４】
2008179960.tif 000006